(57)【要約】      （修正有）【課題】裁縫線の移動及び縫合線の除去により手の平皮と指間のうっとうしい感じを除去し、かつ火花から縫合線が綻びることを防止する。３本指タイプ溶接用手袋を提供する。【解決手段】前面指のまとめ入れ端に延びて側面に羽が形成された前面人差指部と、背面人差指部とが一体に裁断された前面手の平皮、前面手の平皮に結合され、その側面に羽が形成された半円型の形状で前面指のまとめ入れ端の上端に裁縫される前面指のまとめ入れ皮と、別途に裁断され、前面手の平皮と前面指のまとめ入れ皮との上面に裁縫される背面指のまとめ入れ皮とを含む。これにより、互いに分離された金属材料に熱を加えて接合する溶接作業現場で飛散する高熱の火花から手を保護するために着用する手袋を、多様な形態の前面手の平皮と一体的な皮片に多様な形態に切断裁断された指皮と前面指のまとめ入れ皮とを裁縫して製作する。【選択図】図３Ｃ
2004360155.tif 000002
【特許請求の範囲】
【請求項１】
高温から手を保護するために着用する溶接用手袋において、
前面指のまとめ入れ端に延びて側面に羽が形成された前面人差指部と、背面人差指部とが一体に裁断された前面手の平皮と、
前記前面手の平皮に結合され、側面に羽が形成された半円型の形状で前面指のまとめ入れ端の上端に裁縫される前面指のまとめ入れ皮と、
別途に裁断され、前面手の平皮と前面指のまとめ入れ皮との上面に裁縫される背面指のまとめ入れ皮とを含むことを特徴とする３本指タイプ溶接用手袋。
【請求項２】
前記前面手の平皮と前記背面指のまとめ入れ皮とが一体的な皮片に形成されたことを特徴とする請求項１に記載の３本指タイプ溶接用手袋。
【請求項３】
前記前面人差指部に形成された羽と前記前面指のまとめ入れ皮に形成された羽とが同じ角度で同一角となり、その同一角となった角度ほど背面縫合点Ａが上方に移動したことを特徴とする請求項１または２に記載の３本指タイプ溶接用手袋。
【請求項４】
溶接用手袋において、
前面人差指端に延びて側面に羽を形成した前面指のまとめ入れ部と、背面指のまとめ入れ部と、背面人差指部とが一体に裁断された一体的な皮片と、
前記一体的な皮片に結合され、別途に裁断されて前記一体的な皮片の前面人差指端の上端に裁縫され、側面に羽が形成された前面人差指皮とを含むことを特徴とする３本指タイプ溶接用手袋。
【請求項５】
３本指タイプ溶接用手袋において、
四角形の下側に親指穴が形成され、上端に前面指端が形成された前面手の平皮と、
前記前面指端に裁縫され、別途に裁断された指指のまとめ入れ部、指人差指が形成された指皮と、
別途に裁断され、背面人差指部、背面指のまとめ入れ部が形成された背面指のまとめ入れ皮とを含むことを特徴とする３本指タイプ溶接用手袋。
【請求項６】
３本指タイプ溶接用手袋において、
側面に羽が形成された前面人差指部、背面人差指部、背面指のまとめ入れ部が一体に裁断された手の甲皮と、
別途に裁断されて前記手の甲皮と結合され、側面に羽が形成された前面指のまとめ入れ皮とを含むことを特徴とする３本指タイプ溶接用手袋。
【請求項７】
３本指タイプ溶接用手袋において、
前面指のまとめ入れ部と、前面人差指部と、背面人差指部と、背面指のまとめ入れ部とが一体に裁断された一体的な皮片と、
前記一体的な皮片に結合されて別途に裁断され、前記前面指のまとめ入れ部と前面人差指部間に裁縫される指間皮とを含むことを特徴とする３本指タイプ溶接用手袋。
【請求項８】
３本指タイプ溶接用手袋において、
背面人差指部、背面指のまとめ入れ部、前面指のまとめ入れ部、前面人差指部が一体に裁断された一体的な皮片に別途に裁断された指間皮を前面指のまとめ入れ部と前面人差指部間に裁縫したことを特徴とする３本指タイプ溶接用手袋。
【発明の詳細な説明】
【技術分野】
【０００１】
本発明は３本指タイプ溶接用手袋に係り、より詳細には、互いに分離された金属材料に熱を加えて接合する溶接作業現場で飛散する高熱の火花から手を保護するために着用する手袋を、多様な形態の前面手の平皮と一体的な皮片に多様な形態に切断裁断された指皮と前面指のまとめ入れ皮とを裁縫して製作することによって、裁縫線の移動及び縫合線の除去により手の平皮と指間のうっとうしい感じを除去し、かつ火花から縫合線が綻びることを防止し、作業中に手の疲労感を減らして作業能率を向上させうる３本指タイプ溶接用手袋に関する。
【背景技術】
【０００２】
一般的に、溶接作業中に着用する手袋は、高温の火花から手を保護するために荒くて厚いものの、防炎効果に優れた皮革を利用して製作されたものである。
【０００３】
ところが、溶接作業は高度の技術及び集中力を必要とし、一度作業が始まれば長時間溶接機を握って作業を行わねばならないが、厚い皮革を折り込んで裁縫した裁縫線部分が溶接作業のために握る手の平、側面、手の甲、指間など各面でひどく擦れて持続的な溶接作業を進めがたいという問題点があった。
【０００４】
上記の問題点を改善して案出した溶接用手袋を図１Ａないし図１Ｃに図示した。上記図面に図示されたように前面指のまとめ入れ部１、前面人差指部２、羽３ａが形成された背面人差指部３と下端に親指穴４とが形成された前面皮１００に、別途に裁断された羽２００ａが形成された背面指のまとめ入れ皮２００を裁縫し、親指穴４に親指皮５そして裁縫した親指皮５の上面に裁縫線保護帯６を裁縫し、カウス７を下端に裁縫して溶接用手袋を製作するが、前面指のまとめ入れ部と背面指のまとめ入れ部とが形成した空間に中指、薬指、小指を共に収容して指間のうっとうしい感じを除去し、手つきを円滑にした手袋が提供されている。
【発明の開示】
【発明が解決しようとする課題】
【０００５】
しかし、これも、手袋の製作中に背面人差指部の羽と背面指のまとめ入れ皮の羽とが手の甲側から手の平側に越えてきて手の平側に縫合線が形成されることにより、溶接機を握る時に前面人差指部と前面指のまとめ入れ部間にうっとうしい感じがあり、手袋製作の特性上必ず形成される縫合線は折り込み合わせて裁縫するしかないので裁縫線によって激しい痛みを引き起こす問題点があった。
【０００６】
また、上記小指側を固定させて作業を行う現場では手刀面の縫合線によって手にうっとうしい感じがし、特に背面人差指部と背面指のまとめ入れ皮間に形成された縫合線は飛散する高熱の火花により縫合線の糸が切れてその間に火花が入って手に火傷を負う安全事故が多く発生し、これ以上手袋を使用できない問題点があった。
【０００７】
本発明は上記のような従来の問題点を解消するためのものであって、前面指のまとめ入れ端に延びて側面に羽を形成した前面人差指部、背面人差指部、背面指のまとめ入れ部を一体的な皮片に形成し、別途に裁断された側面に羽を形成した半円型の前面指のまとめ入れ皮を前面指のまとめ入れ端に裁縫して手袋を製作することにより、他端と縫合される背面縫合線を除去して背面のうっとうしい感じを解決し、高温の火花から背面縫合線が切れることを遮断し、前面人差指部の側面に形成された羽と半円型の前面指のまとめ入れ皮の側面に形成された羽とによって裁縫線が手の平側から手の甲側に移動して裁縫されることにより、人差指と指のまとめ入れ部との手の平側にあった裁縫線が人差指と指のまとめ入れ部との手の甲側に位置するようになって前面人差指と前面指のまとめ入れ部間のうっとうしい感じが解除され、また前記で一体的な皮片を背面人差指部、背面指のまとめ入れ部、前面指のまとめ入れ部、前面人差指部で形成して手刀部分の縫合線を除去することによってうっとうしい感じを解決した３本指タイプ溶接用手袋を提供することを目的とする。
【課題を解決するための手段】
【０００８】
上記のような目的を達成するための本発明の実施例による３本指タイプ溶接用手袋は、高温から手を保護するために着用する溶接用手袋において、前面指のまとめ入れ端に延びて側面に羽が形成された前面人差指部と、背面人差指部とが一体に裁断された前面手の平皮の側面に羽が形成された半円型の前面指のまとめ入れ皮を前面指のまとめ入れ皮の上面に裁縫し、前面手の平皮と前面指のまとめ入れ皮上面に別途に裁断された背面指のまとめ入れ皮を裁縫することを特徴とする。
【０００９】
また、本発明の実施例による３本指タイプ溶接用手袋は、前記前面手の平皮と前記背面指のまとめ入れ皮とが一体的な皮片に形成されたことを特徴とする。
【００１０】
また、本発明の実施例による３本指タイプ溶接用手袋は、前記前面人差指部に形成された羽と前記前面指のまとめ入れ皮に形成された羽とが同じ角度で同一角となり、その同一角となった角度ほど背面縫合点Ａが上方に移動したことを特徴とする。
【００１１】
また、本発明の他の実施例による３本指タイプ溶接用手袋は、前面人差指端に延びて側面に羽を形成した前面指のまとめ入れ部と、背面指のまとめ入れ部と、背面人差指部とが一体に裁断された一体的な皮片と、別途に裁断されて前記一体的な皮片の前面人差指端の上端に裁縫され、側面に羽が形成された前面人差指皮と、を含むことを特徴とする。
【００１２】
また、本発明のさらに他の実施例による３本指タイプ溶接用手袋は、四角形の下側に親指穴が形成され、上端に前面指端が形成された前面手の平皮に別途に裁断された指指のまとめ入れ部、指人差指が形成された指皮を前面指端に裁縫し、背面人差指部、背面指のまとめ入れ部が形成された背面指のまとめ入れ皮を前面手の平皮と裁縫することを特徴とする。
【００１３】
また、本発明のさらに他の実施例による３本指タイプ溶接用手袋は、側面に羽が形成された前面人差指部、背面人差指部、背面指のまとめ入れ部が一体に裁断された手の甲皮に、別途に裁断され、側面に羽が形成された前面指のまとめ入れ皮を裁縫することを特徴とする。
【００１４】
また、本発明のさらに他の実施例による３本指タイプ溶接用手袋は、前面指のまとめ入れ部と、前面人差指部と、背面人差指部と、背面指のまとめ入れ部とが一体に裁断された一体的な皮片と、前記前面指のまとめ入れ部と前面人差指部間に別途に裁断された指間皮とをを裁縫することを特徴とする。
【００１５】
また、本発明のさらに他の実施例による３本指タイプ溶接用手袋は、背面人差指部、背面指のまとめ入れ部、前面指のまとめ入れ部、前面人差指部が一体に裁断された一体的な皮片に別途に裁断された指間皮を前面指のまとめ入れ部と前面人差指部間に裁縫したことを特徴とする。
【発明の効果】
【００１６】
本発明は前面指のまとめ入れ端に延びて前面人差指部、背面人差指部、背面指のまとめ入れ部を一体的な皮片に形成し、別途に裁断された前面指のまとめ入れ皮を裁縫して手袋を製作することにより、背面の縫合線を除去して背面のうっとうしい感じをなくし、高温の火花から縫合線が綻びて手に火傷を負う安全事故を予防でき、前面指のまとめ入れ皮と前面人差指部とに形成された羽をそれぞれ同一角としてから、背面縫合点を上方に移動させて背面指のまとめ入れ皮と背面人差指部間に余裕空間を形成することによりうっとうしい感じを除去し、一体的な皮片に、前面人差指端、前面指のまとめ入れ部、背面指のまとめ入れ部、背面人差指部を一体的な皮片に形成し、別途に裁断された前面人差指皮を前面人差指端に折り込んで裁縫することにより、小指側を固定させて作業を行う現場で手刀部分の痛みが除去され、前面手の平皮に別途に裁断された指皮を裁縫し、背面人差指、背面指のまとめ入れ部で形成された背面皮を前面皮と裁縫することにより背面の裁縫線が除去されて指間の空間が確保され、前面人差指部、背面人差指部、背面指のまとめ入れ部が一体に裁断され、別途に裁断された前面指のまとめ入れ皮を折り込んで裁縫することによって背面の裁縫線が除去され、前面指のまとめ入れ部、前面人差指部、背面人差指部、背面指のまとめ入れ部を一体的な皮片に形成して指間皮だけ簡単に裁縫することにより製作が簡便で作業時間を短縮でき、前面人差指部、前面指のまとめ入れ部、背面指のまとめ入れ部、背面人差指部を一体的な皮片に形成して指間皮だけ簡単に裁縫することにより、小指側を固定させて作業を行う現場で手刀部分の痛みを除去する等の効果がある。
【発明を実施するための最良の形態】
【００１７】
以下、本発明による３本指タイプ溶接用手袋を添付図面に基づいて詳細に説明すれば次の通りである。
【００１８】
図２ないし図９は本発明による３本指タイプ溶接用手袋を図示したものであって、図２Ａないし図２Ｄは本発明に係る第１実施例の３本指タイプ溶接用手袋を手の甲から見た図図、手の平から見た図、裁断された状態での展開図、指皮の立体図、図３Ａないし図３Ｄは本発明に係る第１実施例の一体的な皮片に形成された３本指タイプ溶接用手袋を手の甲から見た図、手の平から見た図、裁断された状態での展開図、指皮の立体図、図４Ａないし図４Ｄは本発明に係る第１実施例の一体的な皮片において背面縫合点Ａを上方に移動させた３本指タイプ溶接用手袋を手の甲から見た図、手の平から見た図、裁断された状態での展開図、指皮の立体図、図５Ａないし図５Ｄは本発明に係る第２実施例の一体的な皮片形態を変化させた３本指タイプ溶接用手袋を手の甲から見た図、手の平から見た図、裁断された状態での展開図、指皮の立体図、図６Ａないし図６Ｄは本発明に係る第３実施例の前面手の平皮と背面皮とが分離された３本指タイプ溶接用手袋を手の甲から見た図、手の平から見た図、裁断された状態での展開図、指皮の立体図、図７Ａないし図７Ｃは本発明に係る第４実施例の背面縫合線を除去して前面縫合線を折り込んで縫合した３本指タイプ溶接用手袋を手の甲から見た図、手の平から見た図、裁断された状態での展開図、図８Ａないし図８Ｄは本発明に係る第５実施例の一体的な皮片形態を変化させた３本指タイプ溶接用手袋を手の甲から見た図、手の平から見た図、裁断された状態での展開図、指皮の立体図、図９Ａないし図９Ｄは本発明に係る第６実施例の一体的な皮片形態を変化させた３本指タイプ溶接用手袋を手の甲から見た図、手の平から見た図、裁断された状態での展開図、指皮の立体図をそれぞれ示したものである。
【００１９】
上記図２Ａないし図２Ｄを参考して本発明の第１実施例による３本指タイプ溶接用手袋を説明すれば、高温の火花から手を保護するために着用する溶接用手袋は、前面指のまとめ入れ端８に延びて側面に羽２ａが形成された前面人差指部２、背面人差指部３が一体に裁断された前面手の平皮３００の側面に羽４００ａが形成された半円型の前面指のまとめ入れ皮４００を前面指のまとめ入れ端８の上端に裁縫し、別途に裁断された背面指のまとめ入れ皮２００を前面手の平皮３００の上面に縫合して形成する。
【００２０】
本発明は、前面指のまとめ入れ端８に延びて側面に羽２ａを形成した前面人差指部２、背面人差指部３が一体に裁断された前面手の平皮３００の側面に羽４００ａを形成した半円型の前面指のまとめ入れ皮４００を前面指のまとめ入れ端８の上端に裁縫し、別途に裁断された背面指のまとめ入れ皮２００を前面手の平皮３００と裁縫し、親指皮５、裁縫線保護帯６、カウス７を裁縫して手袋を製作するが、既存に存在しなかった前面人差指部の羽２ａ及び前面指のまとめ入れ皮の羽４００ａを新しく構成させる。
【００２１】
したがって、従来の前面皮１００の前面人差指部２及び前面指のまとめ入れ部１の手の平部に存在した裁縫線を背面人差指部３と背面指のまとめ入れ皮２００側に移動させることによって、溶接機を握る時に前面皮１００の前面人差指部２及び前面指のまとめ入れ部１の手の平部で発生したうっとうしい感じが除去され、長時間作業中にも手の疲労感を減らして作業能率を向上させうる。
【００２２】
図３ないし図４は、本発明の第１実施例において前面手の平皮と背面指のまとめ入れ皮とが一体的な皮片に形成され、縫合点が上方に移動したものであって、図３Ａないし図３Ｄに図示されたように、前面手の平皮３００と背面指のまとめ入れ皮２００が縫合された形に前面指のまとめ入れ端８に延びて側面に羽２ａを形成した前面人差指部２、背面人差指部３、背面指のまとめ入れ部９が形成された一体的な皮片５００となる。
【００２３】
このように本発明は、一体的な皮片５００の前面指のまとめ入れ端８の上端に別途に裁断した、側面に羽を形成した半円型の前面指のまとめ入れ皮４００を裁縫し、親指皮５、裁縫線保護帯６、カウス７を裁縫して手袋を製作する。
【００２４】
したがって、前面手の平皮１００の背面人差指部３の側端と背面指のまとめ入れ皮２００の側端とが連結された形態の一体的な皮片５００に形成されて溶接用手袋が製作されることによって、背面人差指部３と背面指のまとめ入れ皮２００間に形成された裁縫線が除去されて作業のために物をつかむ時や、持続的に溶接機を握って作業を行っても裁縫線によるうっとうしい感じが除去され、特に、背面に存在した裁縫線に高温の火花が飛び散って縫合線を切る現象を遮断して手に火傷を負う安全問題を防止できる。
【００２５】
また、図４Ａないし図４Ｄに図示されたように、前面人差指部２に形成された羽２ａと別途に裁断された前面指のまとめ入れ皮４００に形成された羽４００ａとが同じ角度で同一角となり、同一角となった角度ほど背面縫合点Ａが上方に移動した。
【００２６】
このような本発明で、前面指のまとめ入れ皮４００の側端に形成された前面指のまとめ入れ皮の羽４００ａは逆時計回り方向に同一角となり、前面人差指部２の側端に形成された前面人差指部の羽２ａは時計回り方向に同一角となるが、前面指のまとめ入れ皮の羽４００ａが同一角となった角度ほど前面人差指部の羽２ａも同じ角度で同一角となり、裁縫されてからは同一角となった角度ほど背面人差指部３と背面指のまとめ入れ部９との背面縫合点Ａが背面上方に移動することによって背面人差指部３と背面指のまとめ入れ部９間のうっとうしい感じを除去する。
【００２７】
一方、図５Ａないし図５Ｄは本発明の第２実施例による３本指タイプ溶接用手袋の手の甲図、手の平図、裁断図、立体図であって、溶接用手袋は、前面人差指端１０に延びて側面に羽１ａを形成した前面指のまとめ入れ部１、背面指のまとめ入れ部９、背面人差指部３が一体に裁断された一体的な皮片５００ａに側面に羽６００ａが形成された前面人差指皮６００を別途に裁断し、一体的な皮片５００ａの前面人差指端１０の上端に裁縫して形成したものである。
【００２８】
このような本発明の第２実施例による３本指タイプ溶接用手袋は、一体的な皮片５００ａの前面人差指端１０の上端に別途に裁断された、側面に羽６００ａを形成した前面人差指皮６００を裁縫し、背面人差指部３の側端と前面人差指端１０の側端とを裁縫し、親指皮５、裁縫線保護帯６、カウス７を裁縫して手袋を製作する。
【００２９】
したがって、小指側を固定させて作業を行う現場で手刀部分のうっとうしい感じが解決された。
【００３０】
図６Ａないし図６Ｄに本発明の第３実施例による前面手の平皮と背面皮とが分離された３本指タイプ溶接用手袋の手の甲図、手の平図、裁断図、立体図をそれぞれ図示した。
【００３１】
上記図６Ａないし図６Ｄに図示されたように、溶接用手袋は、四角形の下側に親指穴４が形成され、上端に前面指端１１が形成された前面手の平皮３００ａに別途に裁断された指指のまとめ入れ部１２、指人差指１３が形成された指皮７００を前面指端１１に裁縫し、背面人差指部３、背面指のまとめ入れ部９が形成された背面指のまとめ入れ皮２００ｂを前面手の平皮と裁縫して製作したものである。
【００３２】
このような本発明は、前面指端１１の上端に裁縫される指皮７００に指指のまとめ入れ部１２及び指人差指部１３を形成して人差指と指のまとめ入れ部間の空間を確保することにより、指間のうっとうしい感じが除去され、手つきが自由になる。
【００３３】
図７Ａないし図７Ｃは、本発明の第４実施例による背面縫合線を除去して前面縫合線を折り込んで裁縫した３本指タイプ溶接用手袋の手の甲図、手の平図、裁断図をそれぞれ図示した。
【００３４】
上記図７Ａないし図７Ｃに図示されたように、溶接用手袋は、側面に羽２ａが形成された前面人差指部２、背面人差指部３、背面指のまとめ入れ部９の一体が裁断された手の甲皮８００に、別途に裁断された側面に羽９００ａが形成された前面指のまとめ入れ皮９００を裁縫して製作したものである。
【００３５】
このような本発明は、従来背面に形成された裁縫線が手の平部に移動して折り込んで裁縫されることにより、高温の火花によって裁縫線が綻びる現象を防止して手に火傷を負う安全事故が予防され、背面のうっとうしい感じが解消される。
【００３６】
図８Ａないし図８Ｄに本発明の第５実施例による３本指タイプ溶接用手袋の手の甲図、手の平図、裁断図、立体図をそれぞれ図示した。
【００３７】
上記図８Ａないし図８Ｄに図示されたように、溶接用手袋は、前面指のまとめ入れ部１、前面人差指部２、背面人差指部３、背面指のまとめ入れ部９が一体に裁断された一体的な皮片５００ｂに別途に裁断された指間皮１０００を前面指のまとめ入れ部１と前面人差指部２間に裁縫したものである。
【００３８】
このような本発明の５実施例による３本指タイプ溶接用手袋は、一体的な皮片５００ｂに指間皮１０００を対角線方向に折り込んで前面指のまとめ入れ部１と前面人差指部２間に折り込んで裁縫し、親指皮５、裁縫線保護帯６カウス７を裁縫して手袋を製作する。
【００３９】
したがって、上記一体的な皮片５００ｂの指のまとめ入れ部と人差指部間に指間皮１０００だけ簡単に裁縫することにより、製作が簡便で作業時間を短縮できるだけでなく全体が一体的な皮片５００ｂに裁断されて裁縫線を顕著に減らすことにより手のうっとうしい感じを根源的に減らすことができる。
【００４０】
図９Ａないし図９Ｄに本発明の第６実施例による３本指タイプ溶接用手袋の手の甲図、手の平図、裁断図、立体図をそれぞれ図示した。
【００４１】
上記図９Ａないし９Ｄに図示されたように、溶接用手袋は、背面人差指部３、背面指のまとめ入れ部９、前面指のまとめ入れ部１、前面人差指部２が一体に裁断された一体的な皮片５００ｃに別途に裁断された指間皮１０００を前面指のまとめ入れ部１と前面人差指部２間に折り込んで裁縫したものである。
【００４２】
したがって、小指側を固定させて作業を行う現場で手刀部分のうっとうしい感じが解決された。
【産業上の利用可能性】
【００４３】
本発明は手を保護し、かつ手の疲労感を減らす３本指タイプ溶接用手袋の製造に適用できる。
【図面の簡単な説明】
【００４４】
【図１Ａ】従来の溶接用手袋を手の甲から見た図である。
【図１Ｂ】従来の溶接用手袋を手の平から見た図である。
【図１Ｃ】従来の溶接用手袋の裁断された状態での展開図である。
【図２Ａ】本発明に係る第１実施例の３本指タイプ溶接用手袋を手の甲から見た図である。
【図２Ｂ】本発明に係る第１実施例の３本指タイプ溶接用手袋を手の平から見た図である。
【図２Ｃ】本発明に係る第１実施例の３本指タイプ溶接用手袋の裁断された状態での展開図である。
【図２Ｄ】本発明に係る第１実施例の３本指タイプ溶接用手袋の指皮の立体図である。
【図３Ａ】本発明に係る第１実施例の一体的な皮片に形成された３本指タイプ溶接用手袋を手の甲から見た図である。
【図３Ｂ】本発明に係る第１実施例の一体的な皮片に形成された３本指タイプ溶接用手袋を手の平から見た図である。
【図３Ｃ】本発明に係る第１実施例の一体的な皮片に形成された３本指タイプ溶接用手袋の裁断された状態での展開図である。
【図３Ｄ】本発明に係る第１実施例の一体的な皮片に形成された３本指タイプ溶接用手袋の指皮の立体図である。
【図４Ａ】本発明に係る第１実施例の一体的な皮片において背面縫合点Ａを上方に移動させた３本指タイプ溶接用手袋を手の甲から見た図である。
【図４Ｂ】本発明に係る第１実施例の一体的な皮片において背面縫合点Ａを上方に移動させた３本指タイプ溶接用手袋を手の平から見た図である。
【図４Ｃ】本発明に係る第１実施例の一体的な皮片において背面縫合点Ａを上方に移動させた３本指タイプ溶接用手袋の裁断した状態での展開図である。
【図４Ｄ】本発明に係る第１実施例の一体的な皮片において背面縫合点Ａを上方に移動させた３本指タイプ溶接用手袋の指皮の立体図である。
【図５Ａ】本発明に係る第２実施例の一体的な皮片形態を変化させた３本指タイプ溶接用手袋を手の甲から見た図である。
【図５Ｂ】本発明に係る第２実施例の一体的な皮片形態を変化させた３本指タイプ溶接用手袋を手の平から見た図である。
【図５Ｃ】本発明に係る第２実施例の一体的な皮片形態を変化させた３本指タイプ溶接用手袋の裁断された状態での展開図である。
【図５Ｄ】本発明に係る第２実施例の一体的な皮片形態を変化させた３本指タイプ溶接用手袋の指皮の立体図である。
【図６Ａ】本発明に係る第３実施例の前面手の平皮と背面指のまとめ入れ皮とが分離された３本指タイプ溶接用手袋を手の甲から見た図である。
【図６Ｂ】本発明に係る第３実施例の前面手の平皮と背面指のまとめ入れ皮とが分離された３本指タイプ溶接用手袋を手の平から見た図である。
【図６Ｃ】本発明に係る第３実施例の前面手の平皮と背面指のまとめ入れ皮とが分離された３本指タイプ溶接用手袋の裁断された状態での展開図である。
【図６Ｄ】本発明に係る第３実施例の前面手の平皮と背面指のまとめ入れ皮とが分離された３本指タイプ溶接用手袋の指皮の立体図である。
【図７Ａ】本発明に係る第４実施例の背面縫合線を除去して前面縫合線を折り込んで裁縫した３本指タイプ溶接用手袋を手の甲から見た図である。
【図７Ｂ】本発明に係る第４実施例の背面縫合線を除去して前面縫合線を折り込んで裁縫した３本指タイプ溶接用手袋を手の平から見た図である。
【図７Ｃ】本発明に係る第４実施例の背面縫合線を除去して前面縫合線を折り込んで裁縫した３本指タイプ溶接用手袋の裁断された状態での展開図である。
【図８Ａ】本発明に係る第５実施例の一体的な皮片形態を変化させた３本指タイプ溶接用手袋を手の甲から見た図である。
【図８Ｂ】本発明に係る第５実施例の一体的な皮片形態を変化させた３本指タイプ溶接用手袋を手の平から見た図である。
【図８Ｃ】本発明に係る第５実施例の一体的な皮片形態を変化させた３本指タイプ溶接用手袋の裁断された状態での展開図である。
【図８Ｄ】本発明に係る第５実施例の一体的な皮片形態を変化させた３本指タイプ溶接用手袋の指皮の立体図である。
【図９Ａ】本発明に係る第６実施例の一体的な皮片形態を変化させた３本指タイプ溶接用手袋を手の甲から見た図である。
【図９Ｂ】本発明に係る第６実施例の一体的な皮片形態を変化させた３本指タイプ溶接用手袋を手の平から見た図である。
【図９Ｃ】本発明に係る第６実施例の一体的な皮片形態を変化させた３本指タイプ溶接用手袋の裁断された状態での展開図である。
【図９Ｄ】本発明に係る第６実施例の一体的な皮片形態を変化させた３本指タイプ溶接用手袋の指皮の立体図である。
【符号の説明】
【００４５】
１  前面指のまとめ入れ部
１ａ  前面指のまとめ入れ部の羽
２  前面人差指部
２ａ  前面人差指部の羽
３  背面人差指部
３ａ  背面人差指部の羽
４  親指穴
５  親指帯
６  裁縫線保護帯
７  カウス
８  前面指のまとめ入れ端
９  背面指のまとめ入れ部
１０  前面人差指端
１１  前面指端
１２  指指のまとめ入れ部
１３  指人差指部
１００  前面皮
２００、２００ｂ  背面指のまとめ入れ皮
２００ａ  背面指のまとめ入れ皮の羽
３００、３００ａ  前面手の平皮
４００  前面指のまとめ入れ皮
４００ａ  前面指のまとめ入れ皮の羽
５００、５００ａ、５００ｂ、５００ｃ  一体的な皮片
６００  前面人差指皮
６００ａ  前面人差指皮の羽
７００  指皮
８００  手の甲皮
９００  前面指のまとめ入れ皮
９００ａ  前面指のまとめ入れ皮の羽
１０００  指間皮
Ａ  背面縫合点
【図１Ａ】
2004360155.tif 000003
【図１Ｂ】
2004360155.tif 000004
【図１Ｃ】
2004360155.tif 000005
【図２Ａ】
2004360155.tif 000006
【図２Ｂ】
2004360155.tif 000007
【図２Ｃ】
2004360155.tif 000008
【図２Ｄ】
2004360155.tif 000009
【図３Ａ】
2004360155.tif 000010
【図３Ｂ】
2004360155.tif 000011
【図３Ｃ】
2004360155.tif 000012
【図３Ｄ】
2004360155.tif 000013
【図４Ａ】
2004360155.tif 000014
【図４Ｂ】
2004360155.tif 000015
【図４Ｃ】
2004360155.tif 000016
【図４Ｄ】
2004360155.tif 000017
【図５Ａ】
2004360155.tif 000018
【図５Ｂ】
2004360155.tif 000019
【図５Ｃ】
2004360155.tif 000020
【図５Ｄ】
2004360155.tif 000021
【図６Ａ】
2004360155.tif 000022
【図６Ｂ】
2004360155.tif 000023
【図６Ｃ】
2004360155.tif 000024
【図６Ｄ】
2004360155.tif 000025
【図７Ａ】
2004360155.tif 000026
【図７Ｂ】
2004360155.tif 000027
【図７Ｃ】
2004360155.tif 000028
【図８Ａ】
2004360155.tif 000029
【図８Ｂ】
2004360155.tif 000030
【図８Ｃ】
2004360155.tif 000031
【図８Ｄ】
2004360155.tif 000032
【図９Ａ】
2004360155.tif 000033
【図９Ｂ】
2004360155.tif 000034
【図９Ｃ】
2004360155.tif 000035
【図９Ｄ】
2004360155.tif 000036